(57)【特許請求の範囲】
【請求項１】
円筒型電池をケース本体の底面からバネで付勢された底板に乗せ、両側を、同円筒型電池の各径に対応して出没し、高さを規制する複数の位置決め部を備え、ケース本体の対向する両側面からバネで付勢された各側板により挟持し、一方の電極を電池ケース本体の同電極に対応する側面に設けた第１の接触子に接触し、他方の電極を電池ケース本体の前記側面に対向する側面からバネで付勢された接触板に設けた第２の接触子に接触するようにしたことを特徴とする電池ケース。
【請求項２】
前記各位置決め部を、径の異なる前記円筒型電池の軸が同一位置になるように形成してなることを特徴とする請求項１記載の電池ケース。
【請求項３】
前記各位置決め部を、前記両側板の対向面に設けた凹部の対向する側壁の上方に形成した軸受部にコイルバネで付勢して回動自在に軸支することにより、同凹部に出没自在に収納してなることを特徴とする請求項１記載の電池ケース。
【発明の詳細な説明】
【０００１】
【発明の属する技術分野】
本発明は、電池ケースに係わり、とくに、異径電池を兼用して効率よく収納できるものに関する。
【０００２】
【従来の技術】
従来、電池ケースは、通常、その収納する電池の径に合わせて収納部を形成してなり、異なる径の電池を使用することはできない。しかし、このような構成では、地震のような、緊急事態発生時に、使用できる径の電池が無く、他の径の電池を使用しようとしても使用できないという問題がある。そこで、各種外形の収納部を別々に設け、各種径の電池を収納できるようにしたものが考えられている。しかしこの構成では電池ケース全体の大きさが大きくなるという問題があった。そこで、例えば、単１電池のような、大径の電池と同じ外形寸法に形成したアダプタに、単２、単３のような小径電池を収容し、このアダプタを電池ケースの大径電池収納部に収納するようにしたものが実現されている。しかし、この構成では、各種アダプタを用意しなければならないばかりでなく、このアダプタを別に保管しなければならず、もし、アダプタを紛失した場合には使用できなくなるという問題があった。
【０００３】
【発明が解決しようとする課題】
本発明は以上述べた問題点を解決し、アダプタを使用することなく、しかも、省スペースで異径電池の兼用使用を可能とした電池ケースを提供することを目的としている。
【０００４】
【課題を解決するための手段】
本発明は上述の課題を解決するため、円筒型電池をケース本体の底面からバネで付勢された底板に乗せ、両側を、同円筒型電池の各径に対応して出没し、高さを規制する複数の位置決め部を備え、ケース本体の対向する両側面からバネで付勢された各側板により挟持し、一方の電極を電池ケース本体の同電極に対応する側面に設けた第１の接触子に接触し、他方の電極を電池ケース本体の前記側面に対向する側面からバネで付勢された接触板に設けた第２の接触子に接触するようにした電池ケースとする。
【０００５】
前記各位置決め部を、径の異なる前記円筒型電池の軸が同一位置になるように形成する電池ケースとした。
【０００６】
前記各位置決め部を、前記両側板の対向面に設けた凹部の対向する側壁の上方に形成した軸受部にコイルバネで付勢して回動自在に軸支することにより、同凹部に出没自在に収納するようにした。
【０００７】
【発明の実施の形態】
以上のように、本発明の電池ケースにおいては、円筒型電池をケース本体の底面からバネで付勢された底板に乗せ、両側を、同円筒型電池の各径に対応して出没し、高さを規制する複数の位置決め部を備え、ケース本体の対向する両側面からバネで付勢された各側板により挟持し、一方の電極を電池ケース本体の同電極に対応する側面に設けた第１の接触子に接触し、他方の電極を電池ケース本体の前記側面に対向する側面からバネで付勢された接触板に設けた第２の接触子に接触するようにした電池ケースとしたので、異径の電池に係わらず、同一スペース内に効率よく収納することができる。
【０００８】
【実施例】
以下、図面に基づいて本発明による電池ケースを詳細に説明する。図１は本発明による電池ケースの一実施例を示す要部斜視図、図２は同要部拡大図である。図１において、２０は円筒型電池、１は前記円筒型電池２０を乗せる底板で、図示しない電池ケース本体の底面からバネ１１で付勢されている。２は前記円筒型電池２０を両側から挟持して同円筒型電池２０の左右の位置を所定位置に固定する側板で、図示しない電池ケース本体の側面からバネ２１で付勢されている。この両側板２、２の対向面の、前記円筒型電池２０の異なる径（例えば、単１、単２、単３の径）に対応する位置に、複数の位置決め部２ｂを出没自在に設けている。そして、この位置決め部２ｂは、図２の要部拡大図に示すように、前記両側板２、２の対向面に複数の凹部２ａが形成され、同凹部２ａの対向面上部に、軸受部２ａ１を形成し、同軸受部２ａ１に平板状の位置決め部２ｂを回動自在に軸支し、板バネ、コイルバネ等のバネ２２で付勢することにより、位置決め部２ｂを凹部２ａより出没自在として、前記円筒型電池２０の高さ等を規制して位置決めするようにしている。また、３は図示しない電池ケース本体の側面からバネ３１で付勢された接触板で、前記円筒型電池２０の一方の電極に接触する第２の接触子６を有し、前記円筒型電池２０の長手方向を同接触板３と、前記円筒型電池２０の他の電極に接触する第１の接触子５を有する電池ケース本体の側面１０ａとの間に挟持している。
【０００９】
以上の構成において、つぎにその動作を説明する。図３は図１の実施例に於いて、（単２）小径電池２０ｂを装着する場合を説明する説明図で、小径電池２０ｂの軸方向からみた断面を示している。図３−（Ａ）に示すように、上方から（単２）小径電池２０ｂを水平にして側板２間に挿入すると、図３−（Ｂ）に示すように、位置決め部２ｂを回動して凹部２ａに収納しながら挿入され、底板１を押し下げることにより、図３−（Ｃ）に示すように、位置決め部２ｂの上から２つ（単１、単２用位置決め部）が元の位置に戻り、（単２）小径電池２０ｂを底板１と位置決め部２ｂとの間に挟持して位置決めされる。このとき、電池の軸は所定の位置に固定され、同（単２）小径電池２０ｂの両電極が第１の接触子または第２の接触子に接触される。
【００１０】
図４は図３で装着した（単２）小径電池２０ｂを取り外す場合を説明する説明図で、小径電池２０ｂの軸方向からみた断面を示している。両側板２を手指で広げることにより底板１が（単２）小径電池２０ｂを押し上げるので、（単２）小径電池２０ｂを手指で簡単に取り出すことができる。尚、本説明では側板２を手指で広げたが、外部のボタン等に連動して側板２を広げる連動機構を設けてもよい。以上、図３および図４に基づいて（単２）小径電池２０ｂの装着、取り外しを説明したが、前記位置決め部２ｂは（単１）大径電池２０ａの場合は上から１番目、（単３）小径電池２０ｃの場合は上から３番目が開いて位置決めするようになる。
【００１１】
【発明の効果】
以上説明したように、本発明による電池ケースによれば、円筒型電池をケース本体の底面からバネで付勢された底板に乗せ、両側を、同円筒型電池の各径に対応して出没し、高さを規制する複数の位置決め部を備え、ケース本体の対向する両側面からバネで付勢された各側板により挟持し、一方の電極を電池ケース本体の同電極に対応する側面に設けた第１の接触子に接触し、他方の電極を電池ケース本体の前記側面に対向する側面からバネで付勢された接触板に設けた第２の接触子に接触するようにした電池ケースとしたので、異径の電池に係わらず、同一スペース内に効率よく収納することができ、アダプタを使用することなく、しかも、省スペースで異径電池の兼用使用を可能とした電池ケースを提供することができる。
【図面の簡単な説明】
【図１】本発明による電池ケースの一実施例を示す要部斜視図である。
【図２】本発明による電池ケースの他の実施例を示す要部拡大図である。
【図３】図１の実施例の動作のうち、電池の装着を説明するための説明図である。
【図４】図１の実施例の動作のうち、電池の取り外しを説明するための説明図である。
【符号の説明】
１ 底板
２ 側板
２ａ 凹部
２ａ１ 軸受部
２ｂ 位置決め部
３ 接触板
１０ 電池ケース本体
１０ａ 電池ケース本体の側面
１０ｂ ガイド壁
１１、２１、２２、３１ バネ
２０ 円筒型電池
２０ａ 大径電池（単１）
２０ｂ 小径電池（単２）
２０ｃ 小径電池（単３）
【図１】
0003775029.tif 000002
【図２】
0003775029.tif 000003
【図３】
0003775029.tif 000004
【図４】
0003775029.tif 000005